(57)【要約】【課題】ヒータ専用の温度検出用部品を必要とすることがなく、商品収納庫内の温度に応じて結露防止用のヒータ駆動を停止することのできるショーケースを提供する。【解決手段】サーミスタ１５から出力された検知信号に基づいて商品収納庫１１内の温度を検出し、圧縮機２１を駆動させる温度よりも高ければ、圧縮機２１に通電して冷却運転を行うショーケースにおいて、制御部４０のヒータ制御部４１は、ヒータ１６ａ駆動時に検出した温度が所定の温度より高くなった場合に、スイッチ４７ａを開いてヒータ１６ａを停止させるようにした。【選択図】図５
2006226587.tif 000002
【特許請求の範囲】
【請求項１】
ショーケース本体内に設けられた商品収納庫と、蒸発器、凝縮器、膨張手段及び圧縮機を接続してなる冷媒回路と、商品収納庫内から吸入した空気を蒸発器によって冷却して商品収納庫内に吐出する通風路と、結露防止用のヒータと、商品収納庫内の温度を検出する温度検出手段とを備え、温度検出手段の検出温度に基づいて圧縮機を制御するようにしたショーケースにおいて、
前記温度検出手段の検出温度が所定の温度よりも高くなったときにヒータを停止させ、所定の温度以下になったときにヒータを駆動するヒータ制御手段を備えた
ことを特徴とするショーケース。
【請求項２】
前記ヒータを複数備え、各ヒータを電源に対して並列に接続するとともに、各ヒータへの通電回路を開閉するスイッチを各ヒータに直列に接続し、
前記ヒータ制御手段を、前記温度検出手段の検出温度が所定の温度よりも高くなったときにスイッチをオフにし、所定の温度以下になったときにスイッチをオンにするように構成した
ことを特徴とする請求項１記載のショーケース。
【請求項３】
前記ヒータを複数備え、各ヒータを電源に対して並列に接続するとともに、各ヒータへの通電回路をそれぞれ開閉する複数のスイッチを各ヒータにそれぞれ直列に接続し、
前記ヒータ制御手段を、前記温度検出手段の検出温度と各ヒータごとに設定された所定の温度とを比較し、検出温度が所定の温度よりも高くなったヒータのスイッチをオフにし、所定の温度以下になったヒータのスイッチをオンにするように構成した
ことを特徴とする請求項１記載のショーケース。
【発明の詳細な説明】
【技術分野】
【０００１】
本発明は、スーパーマーケットやコンビニエンスストア等の店舗に設置される冷凍または冷蔵の商品を収納するショーケースに関するものである。
【背景技術】
【０００２】
従来、この種のショーケースとして、ショーケース本体内に設けられた商品収納庫と、蒸発器、凝縮器、膨張手段及び圧縮機を接続してなる冷媒回路と、商品収納庫内から吸入した空気を蒸発器によって冷却して商品収納庫内に吐出する通風路と、結露防止用のヒータと、商品収納庫内の温度を検出する温度検出用部品とを備え、温度検出用部品から出力された検知信号に基づいて圧縮機を駆動させるものが知られている。
【０００３】
しかしながら、ショーケースが運転している間は、庫内の温度が高いときでもヒータが駆動されるため、ヒータによって熱負荷を増大させ、必要以上に電力を消費するという問題点があった。
【０００４】
そこで、制御回路内にショーケース起動時の外気温度と外気湿度を検出するセンサを設け、検出された外気温度と外気湿度とに基づいてヒータの発熱量を制御するものも知られている（例えば特許文献１参照）。
【特許文献１】特開２００４−３０８９９３号公報
【発明の開示】
【発明が解決しようとする課題】
【０００５】
しかしながら、制御回路内に専用の温度検出用部品を設ければヒータの発熱量を制御することができるが、この場合は温度検出用部品を別部品として追加しなければならず、コストが高くつくという問題点がある。
【０００６】
本発明は前記問題点に鑑みてなされたものであり、その目的とするところは、ヒータ専用の温度検出用部品を必要とすることがなく、商品収納庫内の温度に応じて結露防止用のヒータ駆動を停止することのできるショーケースを提供することにある。
【課題を解決するための手段】
【０００７】
前記目的を達成するために本発明のショーケースは、ショーケース本体内に設けられた商品収納庫と、蒸発器、凝縮器、膨張手段及び圧縮機を接続してなる冷媒回路と、商品収納庫内から吸入した空気を蒸発器によって冷却して商品収納庫内に吐出する通風路と、結露防止用のヒータと、商品収納庫内の温度を検出するための温度検出手段とを備え、温度検出手段の検出温度に基づいて圧縮機を制御するようにしたショーケースにおいて、前記温度検出手段の検出温度が所定の温度よりも高くなったときにヒータを停止させ、所定の温度以下になったときにヒータを駆動するヒータ制御手段を備えたことを特徴としている。これにより、圧縮機制御用の温度検出手段をヒータ制御に適用できるとともに、温度検出手段の検出温度が所定の温度より高くなったときに、ヒータ制御手段によってヒータが停止されることから、必要以上の電力を消費することがない。また、圧縮機制御用の温度検出手段がヒータ制御に用いられることから、ヒータ専用の温度検出用部品を必要としない。
【発明の効果】
【０００８】
本発明によれば、商品収納庫内の温度が上昇した場合はヒータを停止することができるので、必要以上の電力を消費することがなく、省エネルギー化を図ることができる。さらに、圧縮機制御用の温度検出手段をヒータの制御に用いることができるので、専用の温度検出用部品を必要とせず、低コスト化を図ることができる。
【発明を実施するための最良の形態】
【０００９】
図１乃至図７は本発明の第１の実施形態を示すもので、図１はショーケースの斜視図、図２はその側面断面図、図３は冷媒回路のブロック図、図４は制御系を示すブロック図、図５は制御回路図、図６及び図７は制御方法のフローチャートである。
【００１０】
このショーケースは、上面を開口したショーケース本体１０と、ショーケース本体１０の下部に設けられた機械室２０と、冷凍サイクルを構成する冷媒回路３０と、商品収納部１１の温度を検出するサーミスタ１５と、結露防止用のヒータ１６ａと、ヒータ１６ａ及び圧縮機２１を制御する制御部４０とから構成されている。
【００１１】
ショーケース本体１０は、前面側、左右両側面側、背面側、及び底面側を断熱壁によって形成され、その内部に設けられた商品収納部１１との間の前面側、底面側及び背面側に沿って通風路１２が形成されている。また、通風路１２の背面側の上端には空気吐出口１２ａが設けられるとともに、前面側の上端には空気吸入口１２ｂが設けられている。通風路１２の底面側には、冷媒回路３０に接続された蒸発器１３が通風路１２に配置されている。また、蒸発器内の冷媒と通風路１２内の空気とを熱交換させる蒸発器用送風機１４が蒸発器１３の前面側に配置されている。
【００１２】
ショーケース本体１０の商品収納部１１にはサーミスタ１５が設けられており、商品収納部１１の温度に応じて変化する電気抵抗を検知信号として検知するようになっている。サーミスタ１５は検知した検知信号を後述の制御部４０に出力する。なお、サーミスタ１５は本願請求項でいう温度検出手段を構成している。
【００１３】
ヒータ１６ａは、空気吸入口１２ｂの上部に設けられており、空気吸入口１２ｂを温めることで、冷却された空気に含まれる水分の付着による空気吸入口１２ｂの結露を防止するようになっている。
【００１４】
機械室２０内には、冷媒回路３０に接続された圧縮機２１及び凝縮器２２が配置され、凝縮器２２には機械室２０内の空気と凝縮器２２内の冷媒とを熱交換させるための凝縮器用送風機２３が設けられている。
【００１５】
冷媒回路３０は、蒸発器１３、圧縮機２１、凝縮器２２、膨張弁２４を備え、これらは冷媒流通用の配管によって接続されている。即ち、図３に示すように、圧縮機２１の吐出側は凝縮器２２の吸入側に接続され、凝縮器２２の吐出側は膨張弁２４の吸入側に接続されている。さらに、膨張弁２４の吐出側は蒸発器１３の吸入側に接続され、蒸発器１３の吐出側は圧縮機２１の吸入側に接続されている。
【００１６】
制御部４０はマイクロコンピュータからなり、例えば電子サーモスタットを用いて商品収納庫１１内の温度を調節するようになっている。図４に示すように、制御部４０は、ヒータ１６ａを制御するためのヒータ制御部４１と、圧縮機２１を制御するための圧縮機制御部４２とを備えている。ヒータ制御部４１には、ヒータ１６ａの駆動を停止させる温度が予め設定されており、サーミスタ１５で検出された温度に基づいてヒータ１６ａを制御する。なお、本願請求項でいう所定の温度とは、ヒータ１６ａの駆動を停止させる温度である。また、圧縮機制御部４２には、圧縮機２１を駆動させる温度と停止させる温度とが予め設定されており、サーミスタ１５で検出された温度に基づいて圧縮機２１を制御する。
【００１７】
以上のように構成されたショーケースにおいて、通常の冷却運転を行う場合、ヒータ制御部４１及び圧縮機制御部４２は、図５に示すように、スイッチ４５及びスイッチ４７ａを開閉することによりヒータ１６ａ及び圧縮機２１を制御する。まず、スイッチ４４が開いた状態、即ち電源４３からの電流が遮断されているときには、スイッチ４５及びスイッチ４７ａは開いている。また、スイッチ４６は閉じているが、接点４５ａから電流が流れなければ圧縮機２１に通電しないようになっている。スイッチ４４を閉じると回路内に電流が流れ、圧縮機制御部４２は、サーミスタ１５から出力された検知信号に基づいて検出した温度が圧縮機２１を駆動させる温度よりも高ければ、スイッチ４５を閉じる。これにより、スイッチ４６にも電流が流れて圧縮機２１が駆動する。そして、圧縮機２１から吐出された冷媒が、凝縮器２２、膨張弁２４、及び蒸発器１３を流通する。このような冷媒の循環をさせることで、蒸発器１３によって通風路１２内の空気が冷却され、冷却された空気を空気吐出口１２ａから吐出するとともに、空気吸入口１２ｂから吸入することによりエアカーテンが形成され、商品収納部１１内が冷却される。
【００１８】
次に、ヒータ１６ａを駆動させるには、図６に示すように、ヒータ制御部４１はサーミスタ１５から出力された検知信号に基づいて商品収納部１１内の温度を検出し（Ｓ１）、商品収納部１１内の温度がヒータ１６ａを停止させる温度以下になると（Ｓ２）、スイッチ４７ａを閉じる（Ｓ３）。これにより、ヒータ１６ａに通電して空気吸入口１２ｂが温められ、冷却した空気による空気吸入口１２の結露が防止される。
【００１９】
また、例えば蒸発器１３の除霜運転を行った後には、除霜運転後に商品収納部１１の温度が上昇する。その際、ヒータ制御部４１は、図７に示すように、常に商品収納部１１内の温度を検出し（Ｓ５）、商品収納部１１内の温度がヒータ１６ａを停止させる温度よりも高くなると（Ｓ６）、スイッチ４７ａを開く（Ｓ７）。これにより、ヒータ１６ａの駆動が停止して、必要以上に電力を消費することがなくなる。
【００２０】
このように、本実施形態のショーケースによれば、サーミスタ１５によって検出された商品収納部１１の温度に基づいて圧縮機２１を制御するとともに、サーミスタ１５の検出温度が所定の温度より高くなったときにヒータ１６ａを停止させ、所定の温度以下になったときにヒータ１６ａを駆動するようにしたので、必要以上の電力を消費することがなく、省エネルギー化を図ることができる。また、ヒータ１６ａを制御するための温度検出用部品を必要としないので、低コスト化を図ることができる。
【００２１】
以下に、本発明の第２の実施形態として、複数のヒータを配置した場合の構成について説明する。
【００２２】
図８はショーケースの側面断面図、図９は制御回路図であり、図８及び図９において前記実施形態と同一構成の部分は同一符号を付して示し、その説明を省略する。図８に示すように、複数のヒータ１６ｂ，１６ｃをショーケース本体１０の上端部分に配置してヒータ１６ｂ，１６ｃを駆動させると、ショーケース本体１０の上端部分が温まり、上端部分の結露が防止される。また、本実施形態の制御回路は図９に示すような構成であり、各ヒータ１６ａ，１６ｂ，１６ｃは電源４３に対して並列になるように接続されており、スイッチ４７ａに対して直列に接続されている。ヒータ制御部４１は、サーミスタ１５から出力された検知信号に基づいて商品収納部１１内の温度を検出して、温度がヒータ１６ａの駆動を停止させる温度よりも低くなると、スイッチ４７ａを閉じて各ヒータ１６ａ，１６ｂ，１６ｃを駆動させ、駆動を停止させる温度よりも高くなると、スイッチ４７ａを開いて各ヒータ１６ａ，１６ｂ，１６ｃの駆動を停止させる。このように、ヒータ制御部４１がスイッチ４７ａの開閉を制御するので、各ヒータ１６ａ，１６ｂ，１６ｃは同時に駆動または停止される。
【００２３】
本実施形態によれば、複数のヒータ１６ａ，１６ｂ，１６ｃを電源４３に対して並列に接続し、各ヒータをスイッチ４７ａに対して直列に接続するように設け、ヒータ制御部４１が商品収納部１１内の温度を検出して、ヒータ１６ａの駆動を停止させる温度以下になるとスイッチ４７ａを閉じて各ヒータ１６ａ，１６ｂ，１６ｃを駆動させ、駆動を停止させる温度よりも高くなるとスイッチ４７ａを開いて各ヒータ１６ａ，１６ｂ，１６ｃの駆動を停止させるようにしたので、各ヒータ１６ａ，１６ｂ，１６ｃを同時に駆動または停止することができ、ショーケース内の複数個所において確実に結露を防止することができる。
【００２４】
次に、本発明の第３の実施形態として、第２の実施形態とは別の回路を構成したものについて説明する。
【００２５】
図１０は本実施形態の制御回路図であり、前述の実施形態と同一構成の部分は同一符号を付して示す。本実施形態では、各ヒータ１６ａ，１６ｂ，１６ｃのそれぞれにスイッチ４７ａ，４７ｂ，４７ｃが直列に接続されている。ヒータ制御部４１には、各ヒータごとにヒータを停止させる温度が設定されており、サーミスタ１５から出力された検知信号に基づいて商品収納部１１内の温度を検出して、各ヒータ毎の駆動を停止させる温度と比較する。ヒータ制御部４１は、検出温度が駆動を停止させる温度以下であれば、温度を比較したヒータに直接接続されたスイッチを閉じ、検出温度が高ければ温度を比較したヒータに直接接続されたスイッチを開く。このように、ヒータ制御部４１が各スイッチ４７ａ，４７ｂ，４７ｃの開閉を制御するので、各ヒータ１６ａ，１６ｂ，１６ｃは各ヒータごとに設定された温度に基づいて駆動または停止される。
【００２６】
本実施形態によれば、各ヒータ１６ａ，１６ｂ，１６ｃを電源４３に対して並列に接続し、各ヒータにスイッチ４７ａ，４７ｂ，４７ｃを直列に接続するように設け、ヒータ制御部４１が商品収納部１１内の温度を検出して、駆動を停止させる温度以下であれば、温度を比較したヒータに対応するスイッチを閉じ、駆動を停止させる温度より高ければ温度を比較したヒータに対応するスイッチを開くようにしたので、設定された温度に基づいて各ヒータごとに駆動または停止することができ、ショーケース内の複数個所においてそれぞれ適切な電力消費で確実に結露を防止することができる。
【００２７】
なお、前記実施形態では、ヒータ１６ａを空気吸入口１２ｂの上部に配置したものを示したが、ヒータ１６ａを通風路１２の前面側の中間部に設けてもよい。また、ヒータ１６ａを空気吐出口１２ａに設けてもよい。
【００２８】
さらに、前記実施形態では、ヒータ１６ａを停止させる温度を予め設定したものを示したが、操作ボタンの入力等で適宜温度を設定できるようにしてもよい。
【図面の簡単な説明】
【００２９】
【図１】本発明の第１の実施形態を示すショーケースの斜視図
【図２】ショーケースの側面断面図
【図３】冷媒回路のブロック図
【図４】ショーケースの制御回路図
【図５】制御系を示すブロック図
【図６】制御方法のフローチャート
【図７】制御方法のフローチャート
【図８】本発明の第２の実施形態を示すショーケースの側面断面図
【図９】本発明の第２の実施形態を示すショーケースの制御回路図
【図１０】本発明の第３の実施形態を示すショーケースの制御回路図
【符号の説明】
【００３０】
１０…ショーケース本体、１１…商品収納部、１２…通風路、１２ａ…空気吐出口、１２ｂ…空気吸入口、１３…蒸発器、１５…サーミスタ、１６ａ，１６ｂ，１６ｃ…ヒータ、２１…圧縮機、２２…凝縮器、２４…膨張弁、３０…冷媒回路、４０…制御部、４１…ヒータ制御部、４２…圧縮機制御部。
【図１】
2006226587.tif 000003
【図２】
2006226587.tif 000004
【図３】
2006226587.tif 000005
【図４】
2006226587.tif 000006
【図５】
2006226587.tif 000007
【図６】
2006226587.tif 000008
【図７】
2006226587.tif 000009
【図８】
2006226587.tif 000010
【図９】
2006226587.tif 000011
【図１０】
2006226587.tif 000012